(57)【要約】      （修正有）【課題】パンプスのインソール部分を足裏にしっかり固定できるとともに、見た目にもファッション性が高く、アクセサリー感覚で着用することが出来る、パンプス用ホルダーを提供する。【解決手段】パンプス用ホルダー１０を、パンプスのヒールの外周に沿って嵌めるヒール用バンド１と、ヒール用バンド１に取り付けた足の甲部または足首部を押え止めるためのストラップ２とで構成する。ヒールに嵌めたヒール用バンド１を支点として、甲の部分あるいは足首の部分をストラップ２により押え止めるので、安定してパンプスを足裏に保持することができる。【選択図】図１
0003151863.tif 000002
【実用新案登録請求の範囲】
【請求項１】
パンプスのヒールの外周に沿って嵌めるヒール用バンドと、ヒール用バンドに取り付けた足の甲部または足首部を押え止めるためのストラップと、を備えた、パンプス用ホルダー
【請求項２】
ヒール用バンドは、輪状のバンドである、請求項１に記載のパンプス用ホルダー。
【請求項３】
ヒール用バンドは、少なくとも一部が弾性体で構成された輪状のバンドである、請求項２に記載のパンプス用ホルダー。
【請求項４】
ヒール用バンドは、両端部に互いに係止可能な係止部を設けて、ヒールの外周に沿って巻き回して係止するバンドである、請求項１に記載のパンプス用ホルダー。
【請求項５】
ストラップは、足の甲部に左右に渡して押え止めるストラップであって、長さを調整できる部材をとりつけた、請求項１に記載のパンプス用ホルダー。
【請求項６】
ストラップは、足の甲部に左右に渡して押え止めるストラップであって、少なくとも一部を弾性体で構成した、請求項１に記載のパンプス用ホルダー。
【請求項７】
ストラップは、足首の外周に沿って嵌める足首用ストラップと、上端を足首用ストラップに取り付け下端をヒール用バンドに取り付けた支持用ストラップとからなる、請求項１に記載のパンプス用ホルダー。
【考案の詳細な説明】
【技術分野】
【０００１】
本考案は、パンプスを履いて歩行するときに、踵がパンプスの踵部から浮かないようにパンプスを足裏に保持するために着用するパンプス用ホルダーに関するものである。
【背景技術】
【０００２】
パンプスとは、履き口である甲の部分を大きく開けてあり、紐や留め具が付いておらず、基本的にはつま先や踵部分が覆われ、約３センチ以上のヒールが付いた婦人用の靴をいう。パンプスは、ヒールが高く紐や留め具が付いていないので、パンプスを履いて歩行しているときには体重がつま先部分にかかり、パンプス内部で足がつま先方向に移動しやすい。さらに、足のサイズにぴったりのパンプスを購入しても、使用しているうちにサイズが多少広がってくることが多い。このように、パンプスはその構造上、歩行中に踵とパンプスの踵部との間に多少のすきまが生じやすく、足を踏み出す度に足裏（特に踵部）がパンプスの底から浮くなど、歩きづらい状態になりがちである。
【０００３】
このような問題を解決するために、パンプスが足から離脱しないように固定するためのベルトが特許文献１〜３に提案されている。これらの文献に開示されているベルトは、伸縮可能な素材で作成されるかあるいはサイズを調整できる締付部を備えた輪状のベルトであって、パンプスの下部土踏まず部分から足の甲にかけて巻回して着用するものである。このようなベルトは現在市販もされている。
【０００４】
そこで、本願考案者は、このようなベルトを実際に着用して歩いてみた。その結果、ベルトの幅が広くないものについては、歩いているうちにベルトがずれてしまうという問題が判明した。一方、ベルトの幅をかなり広めにすれば、ベルトが歩いているうちにずれるという問題はあまり生じない一方、外観が美しいとはいえず、ファッション性という観点からはユーザーを引き付ける魅力に欠けるのではないかと思われた。
【先行技術文献】
【特許文献】
【０００５】
【特許文献１】実開平５−０１５８１０号公報
【特許文献２】実用新案登録第３１１０６４４号公報
【特許文献３】特開２００６−２３０８１６号公報
【考案の概要】
【考案が解決しようとする課題】
【０００６】
本考案は、パンプスのインソール部分を足裏にしっかり固定できるとともに、見た目にもファッション性が高く、アクセサリー感覚で着用することが出来る、パンプス用ホルダーを提供することを目的とする。
【課題を解決するための手段】
【０００７】
本考案によるパンプス用ホルダーは、パンプスのヒールの外周に沿って嵌めるヒール用バンドと、ヒール用バンドに取り付けた足の甲部または足首部を押え止めるためのストラップとで構成されている。
【０００８】
ヒール用バンドは、輪状のバンドとすることが出来る。少なくとも一部が弾性体で構成された輪状のバンドでもよい。
【０００９】
また、ヒール用バンドは、両端部に互いに係止可能な係止部を設けて、ヒールの外周に沿って巻き回して係止するバンドでもよい。
【００１０】
ストラップは、足の甲部に左右に渡して押え止めるストラップであって、長さを調整できる部材をとりつけたストラップとすることが出来る。また、ストラップは、足の甲部に左右に渡して押え止めるストラップであって、少なくとも一部を弾性体で構成するようにしてもよい。
【００１１】
さらに、ストラップは、足首の外周に沿って嵌める足首用ストラップと、上端を足首用ストラップに取り付け下端をヒール用バンドに取り付けた支持用ストラップとから構成するようにしてもよい。
【考案の効果】
【００１２】
本考案によれば、ヒールに嵌めたヒール用バンドを支点として、甲の部分あるいは足首の部分をストラップにより押え止めるので、安定してパンプスを足裏に保持することができる。そして、足に負担をかけることなく、歩行時にパンプスのインソールから踵部が浮いたりする歩きづらい状態を解消できる。また、本考案によるパンプス用ホルダーは、構成がシンプルであると共に、様々な材質で作成することが出来、装飾物を付加することも容易なので、ファッション性の高い製品とすることが可能である。
【図面の簡単な説明】
【００１３】
【図１】第１の実施の形態によるパンプス用ホルダーを着用した状態を示す図である。
【図２】（ａ）、（ｂ）、（ｃ）、はそれぞれ、第１の実施の形態の実施例を示す斜視図である。
【図３】（ａ）、（ｂ）は、それぞれ第２の実施の形態によるパンプス用ホルダーを着用した状態を示す図である。
【図４】（ａ）は、図３（ａ）に示すパンプス用ホルダーを平面に置いた状態で示す図、（ｂ）は図３（ａ）に示すパンプス用ホルダーを着用した状態で示す図である。
【図５】（ａ）は、図４（ａ）に示すパンプス用ホルダーを平面に置いた状態で示す図、（ｂ）は図４（ａ）に示すパンプス用ホルダーを着用した状態で示す図である。
【考案を実施するための最良の形態】
【００１４】
本考案によるパンプス用ホルダーは、ヒール用バンドをパンプスのヒールの外周に沿って嵌め、ヒール用バンドに取り付けられている足の甲部または足首部を押え止めるためのストラップで甲または足首の部分とヒール部分とが離れないように保持することにより、足裏にパンプスを保持するものである。
【００１５】
ヒール用バンドは、輪状でもよいし、両端部に互いに係止可能な係止部を設けた一本のバンドであって、ヒールの外周に沿って巻き回して係止することによってヒールに嵌めるようにしてもよい。また、輪状のヒール用ハンドは、少なくとも一部を弾性体で構成するようにしてもよい。
【００１６】
ヒール用バンドに取り付けられたストラップは、足の甲部あるいは足首部にフィットさせるために、少なくとも一部を弾性体で構成してもよいし、長さを調整するためのバックル等の長さ調整部材を取り付けてもよい。
＜第１の実施の形態＞
【００１７】
図１は、第１の実施の形態によるパンプス用ホルダー１０を着用した状態を示す図、図２（ａ）（ｂ）（ｃ）は、それぞれ、第１の実施の形態によるパンプス用ホルダー１０の実施例１０ａ、実施例１０ｂ及び実施例１０ｃを示す斜視図である。
【００１８】
図１に示すように、パンプス用ホルダー１０の基本的な形態は、パンプスのヒールの外周に沿って嵌めるヒール用バンド１と、ヒール用バンド１に取り付けられて、甲の部分に左右に渡される長さが調整可能なストラップ２とで構成されている。
【００１９】
ヒール用バンド１は、ヒールの下部からヒールに通して嵌めるようにして着用する。ヒール用バンド１は、輪状であってもよいし、両端部に掛止可能な係止部（例えば、スナップ、ホック、着脱自在な接着テープ）を取り付けて巻き回すようにしてヒールに嵌めてもよい。
【００２０】
ヒール用バンド１が輪状である場合、少なくとも一部を弾性体で構成すれば、ヒールの回りに締め付けられ、嵌めたときに落下しないので着用しやすい。しかしながら、パンプス用ホルダー１は、ヒール用バンド１とストラップ２とで足に保持されるため、着用してしまえば、ヒール用バンド１が必ずしも弾性体によってぴったりとヒールの外周を締め付けていなくても落下することはなく機能を果たすことができる。なお、ヒール用バンド１は、細いものから幅広のものまで、具体的には２ｍｍ程度から５０ｍｍ程度まで、様々な幅で作成可能であり、材料も、ゴムをはじめ、布、ニット、合成樹脂、皮革や人工皮革、金属（チェーン状のものを含む）やこれらによる組み合わせが使用できる。
【００２１】
ストラップ２は、ヒール用バンド１に取り付けられ、ストラップ２が足の甲部を左右に渡るように着用する。ストラップ２はヒール用バンド１を起点として甲が浮かないように保持しなければならないため、甲に沿うように丁度良い長さに調整する必要がある。そのために、ストラップ２を、例えば、２本のストラップで構成し、それぞれの一端をヒール用バンド１に取り付け、他端の先端同士に、互いに嵌め合うテープアジャスタ（テープバックル）を取り付けて、テープアジャスタに通すストラップ２の長さを調整可能にしてもよいし、穴の位置を調整することにより長さを調整できる美錠（ベルトなどによく使われる金具で、基本的にはカン類にピンが付いたもの）をストラップ２の一方の端に取り付け、もう一方のストラップ２にはベルト穴を設けて長さを調整するようにしてもよい。また、２本のカン類を一方のストラップ２の先端に取り付けもう一方のストラップ２をカン類に通して長さを調整してもよいし、複数設けたボタン留めや脱着自在の接着テープを一定の幅に取り付けて、長さを調整可能にしてもよい。さらに、ヒール用バンド１に取り付けられたストラップ２の少なくとも一部を弾性体で構成するなどして、弾性体の収縮により足の甲を締め付けるようにしてもよい。
【００２２】
このように、ストラップ２は、様々な形態をとることが可能なので、材料も、布、ニット、合成樹脂、皮革や人工皮革、ゴム、場合によっては留め金で長さが調整可能なチェーンでもよい。
【００２３】
図２（ａ）は、第１の実施の形態によるパンプス用ホルダーの実施例１０ａを示した斜視図である。図２（ａ）に示すように、パンプス用ホルダー１０ａは、輪状のゴムバンドからなるヒール用バンド１ａと、一端がヒール用バンド１ａに取り付けられ、それぞれの他端の先端に、互いに嵌め合うテープアジャスタ２２ａが取り付けられている布製ストラップ２ａからなる２本のストラップとから構成されている。テープアジャスタ２２ａは、例えば、一方の布製ストラップ２ａがテープアジャスタ２２ａの紐通し部を通して折り返すようになっており、布製ストラップ２ａを引くことによりテープアジャスタ２２ａの位置を移動できるので、甲部分に当たる長さの調整が可能になっている。なお、ストラップ２ａの先端に布製やビーズ製の花を取付けたり、途中にイミテーションファーのポンポンを取り付けるなどして、アクセサリー的な要素を高めることが出来る。
【００２４】
図２（ｂ）は、第１の実施の形態によるパンプス用ホルダーの実施例１０ｂを示した斜視図である。図２（ｂ）に示すように、パンプス用ホルダー１０ｂは、金属製又はプラスチック製の小さなビーズに伸縮性を有する繊維あるいは糸を組み合わせて帯状の輪に構成したヒール用バンド１ｂと、やや大きめの金属製又はプラスチック製のビーズに伸縮性を有する糸を通したストラップ２ｂで構成されており、ストラップ２ｂの両端は、ヒール用バンド１ｂに固定されている。この実施例によるパンプス用ホルダー１０ｂでは、よりアクセサリー的な要素が強まっている。
【００２５】
図２（ｃ）は、第１の実施の形態によるパンプス用ホルダーの実施例１０ｃを示した斜視図である。図２（ｃ）に示すように、パンプス用ホルダー１０ｃは、輪状のゴムからなるヒール用バンド１ｃと、輪状のゴムからなるストラップ２ｃとを、組み合わせたものであり、第１の実施の形態中で、最もシンプルな構成である。図２（ｃ）に示している実施例では、ヒール用バンド１ｃとストラップ２ｃとは、一方の輪を他方の輪にくぐらせるようにして組み合わせているだけである。このようにしても、ヒール用バンド１ｃとストラップ２ｃのゴムの幅が極端に太くなければ、十分に足にフィットしパンプスを足裏に固定することが出来る。なお、ヒール用バンド１ｃとストラップ２との交差部分が移動しないように、ストラップ２のヒール用バンド１ｃとの交差部分近くを縫い合わせるなどしてもよいし、ヒール用バンド１ｃとストラップ２を共に小型リングに通すことによって、小型リングを介してヒール用バンド１ｃとストラップ２とを組み合わせてもよい。
＜第２の実施の形態＞
【００２６】
図３（ａ）は、第２の実施の形態によるパンプス用ホルダー１１を着用した状態を示す図、図３（ｂ）は、第２の実施の形態によるパンプス用ホルダー１２を着用した状態を示す図、図４（ａ）（ｂ）は、第２の実施の形態によるパンプス用ホルダー１１をそれぞれ平面に置いた状態と着用した状態で示す図、図４（ａ）（ｂ）は、第２の実施の形態によるパンプス用ホルダー１２をそれぞれ平面に置いた状態と着用した状態で示す図である。
【００２７】
図３（ａ）（ｂ）に示すように、第２の実施の形態によるパンプス用ホルダー１１又は１２は、パンプスのヒールの外周に沿って嵌めるヒール用バンド１と、足首の外周に沿って嵌める足首用ストラップ２３と、上端を足首用ストラップ２３に取り付け下端をヒール用バンド１に取り付けた支持用ストラップ２４とを備えている。
【００２８】
第２の実施の形態におけるヒール用バンド１については、第１の実施の形態の欄に記載したヒール用バンド１についての記載がそのまま該当するので、ここでは記載は省略する。
【００２９】
一方、第２の実施の形態においては、足首の外周に沿って嵌める足首用ストラップ２３と、上端を足首用ストラップ２３に取り付け下端をヒール用バンド１に取り付けた支持用ストラップ２４とにより、ヒール用バンド１を支点として、足裏にパンプスを保持する。
【００３０】
支持用ストラップ２４の足首用ストラップ２３及びヒール用バンド１への取付け方法については、例えば、図３（ａ）及び図４（ａ）（ｂ）に示すように、支持用ストラップ２４の上端を、足首用ストラップ２３の踵の上部に当たる部分に取り付けることが出来る。この場合、支持用ストラップ２４を直接足首用ストラップ２３に縫製などにより取り付けてもよいが、図４（ａ）（ｂ）に示すように、リング３０を介して取り付けてもよいし、足首用ストラップ２３と支持用ストラップ２４の双方をバックルに通すことによって交差させるようにして取り付けてもよい。また、支持用ストラップ２４のヒール用バンド１への取付け方法は、ヒール用バンド１の幅や材質により、ヒール用バンド１へ縫製などにより直接取り付けたり、下端を輪状に作成してヒール用バンド１を通すようにするなど、様々な方法が考えられる。
【００３１】
支持用ストラップ２４の足首用ストラップ２３及びヒール用バンド１への取付け方法については、さらに、図３（ｂ）及び図５（ａ）（ｂ）に示すように、支持用ストラップ２４の上端を、足首用ストラップ２３の踝の上部に当たる部分あるいは前面に取り付けることが出来る。この場合、支持用ストラップ２４を直接足首用ストラップ２３に縫製などにより取り付けてもよいし、支持用ストラップ２４の上端を輪状にして、足首用ストラップ２３を通すようにしてもよい。また、図５（ａ）（ｂ）に示す支持用ストラップ２４は２本であるが、３本あるいは４本であってもよい。
【００３２】
なお、支持用ストラップ２４は踵部あるいは踝部に沿ってヒール用バンド１と足首用ストラップ２３とを支持するので、少なくとも一部が弾性体で構成されている方がしっかりと足のカーブに沿って支持することが出来る。
【００３３】
一方、足首用ストラップ２３は、図４及び図５に示した実施の形態では、一端にバックル３１が取り付けられ、他端をバックル３１に通すことにより、足首に巻き回したときに丁度よい長さに調整出来るようにしているが、第１の実施の形態においてストラップ２の長さの調整手段と同様に、様々な調整部材を取り付けることが出来るし、少なくとも一部が弾性体である輪状であってもよい。
【００３４】
足首用ストラップ２３は、様々な形態をとることが可能なので、材料も、布、ニット、合成樹脂、皮革や人工皮革、ゴム、場合によっては留め金で長さが調整可能なチェーンでもよい。また、第１の実施の形態と同様に、様々な装飾的な材料を用いたりあるいは取り付けたりすることにより、アクセサリー的な要素を高めることが出来る。
【符号の説明】
【００３５】
１、１ａ、１ｂ、１ｃ  ヒール用バンド
２，２ａ、２ｂ、２ｃ  ストラップ
１０、１０ａ、１０ｂ、１０ｃ  第１の実施の形態によるパンプス用ホルダー
１１、１２  第２の実施の形態によるパンプス用ホルダー
２３  足首用ストラップ
２４  支持用ストラップ
【図１】
0003151863.tif 000003
【図２】
0003151863.tif 000004
【図３】
0003151863.tif 000005
【図４】
0003151863.tif 000006
【図５】
0003151863.tif 000007